(57)【要約】情報記録装置２は、データを記録するために挿入された情報記録媒体１の所定の領域を読み取って、接続先情報ｄ１０を取得する（ステップＳ１０）。接続先情報ｄ１０は、情報記録装置２に挿入された情報記録媒体１の種類に合致したライトストラテジ情報ｄ２を取得するためのＵＲＬ情報となっている。次に、取得した接続先情報ｄ１０に基づいて、情報提供サーバ３ｉにアクセスする（ステップＳ２０）。次に、情報記録装置２は、アクセス先のＷＥＢサイトから情報記録媒体１の種類に応じたライトストラテジ情報ｄ２０を取得する（ステップＳ３０）。
2008026250.tif 000002
【特許請求の範囲】
【請求項１】
情報記録媒体の種類ごとのライトストラテジ情報を備えた情報提供サーバと通信可能な情報記録装置であって、
前記情報記録媒体の所定の領域に予め記録された前記情報提供サーバの接続先情報を読み取る接続先情報取得手段と、
読み取った接続先情報に基づいて、前記情報提供サーバにアクセスし、データを記録する前記情報記録媒体のライトストラテジ情報を取得するライトストラテジ情報取得手段と、
を有することを特徴とする情報記録装置。
【請求項２】
情報記録媒体の種類ごとのライトストラテジ情報を備えた情報提供サーバと通信可能な情報記録装置であって、
前記情報記録媒体の所定の領域に予め記録された、前記情報提供サーバからライトストラテジ情報を取得するか否かを示すフラグ情報を読み取るフラグ情報取得手段と、
読み取ったフラグ情報に従って、前記情報提供サーバが備えるライトストラテジ情報を取得する場合には、前記情報記録媒体の所定の領域に予め記録された前記情報提供サーバの接続先情報を読み取る接続先情報取得手段と、
読み取った接続先情報に基づいて、前記情報提供サーバにアクセスし、データを記録する前記情報記録媒体のライトストラテジ情報を取得する第１のライトストラテジ情報取得手段と、
読み取った前記フラグ情報に従って、前記情報提供サーバが備えるライトストラテジ情報を取得しない場合には、前記情報記録媒体に記録されたライトストラテジ情報を取得する第２のライトストラテジ情報取得手段と、
を有することを特徴とする情報記録装置。
【請求項３】
前記接続先情報は、
前記情報記録媒体に記録され、前記情報記録媒体の種類を一意に識別可能な第１の接続先情報と、
前記情報記録装置の所定の記憶部に記録され、前記情報記録装置の機種を一意に識別可能な第２の接続先情報と、
から構成されることを特徴とする請求項１又は２記載の情報記録装置。
【請求項４】
前記接続先情報は、ＵＲＬ（Uniform Resource Locator）に関する情報であることを特徴とする請求項１乃至３のいずれか１項に記載の情報記録装置。
【請求項５】
前記情報提供サーバは、
前記情報記録媒体の種類ごとに接続先を異ならせて、ライトストラテジ情報を備えることを特徴とする請求項１乃至４のいずれか１項に記載の情報記録装置。
【請求項６】
情報記録媒体の種類ごとのライトストラテジ情報を備えた情報提供サーバにアクセスするための接続先情報を予め所定の領域に記録したことを特徴とする情報記録媒体。
【請求項７】
前記接続先情報は、前記情報記録媒体の種類ごとに異なっていることを特徴とする請求項６記載の情報記録媒体
【請求項８】
前記情報提供サーバから前記ライトストラテジ情報を取得するか否かを示すフラグ情報をさらに予め所定の領域に記録した請求項６又は７記載の情報記録媒体。
【請求項９】
前記所定の領域は、プリフォーマットデータが記録されている領域、又はプリライト領域であることを特徴とする請求項６乃至８のいずれか１項に記載の情報記録媒体。
【請求項１０】
前記接続先情報は、ＵＲＬ（Uniform Resource Locator）に関する情報であることを特徴とする請求項６乃至９のいずれか１項に記載の情報記録媒体。
【請求項１１】
情報記録媒体にデータを記録する情報記録装置と通信可能であり、前記情報記録媒体の種類ごとに接続先を異ならせて、前記情報記録媒体の種類ごとのライトストラテジ情報を備えた情報提供サーバであって、
前記情報記録装置からアクセスされたときは、アクセスされた接続先に備える前記ライトストラテジ情報を前記情報記録装置に提供することを特徴とする情報提供サーバ。
【発明の詳細な説明】
【技術分野】
【０００１】
本発明は、情報の記録を行なう情報記録装置、情報の記録を行なうための情報記録媒体、及び情報記録装置と通信ネットワークを介して接続された情報提供サーバに関する。
【背景技術】
【０００２】
追記型の光ディスクであるＤＶＤ−Ｒや書き換え型の光ディスクであるＤＶＤ−ＲＷなどの記録型ＤＶＤを製造販売する光ディスクメーカーは、光ディスクに最適な状態でデータを記録するために、最適な記録パワーや記録パルス（ライトストラテジ）を光ディスクに予め記録して出荷している。すなわち、ＤＶＤレコーダなどの情報記録装置は、光ディスクにデータを記録する際、このライトストラテジ情報を光ディスクから読み取って、最適な記録条件により記録を行っている。【０００３】
一般にライトストラテジ情報は、光ディスクのＬＰＰ（Land Pre-Pit）やウォブル（wobble）等のプリフォーマットデータとして記録されているか、プリライト部（リードイン領域のコントロールデータゾーン）に記録されている。例えば、１、２、４、８、１２及び１６倍の速度で記録可能な光ディスクは、各速度で記録するためのライトストラテジ情報をプリフォーマットデータとして、又はプリライト部に記録して出荷されている。【０００４】
また、これとは別に、ライトストラテジ情報を、通信ネットワークを介して外部から取得する技術が開示されている（例えば、特許文献１〜３参照。）。【０００５】
【特許文献１】特開２００４−３５５６９８号公報
【特許文献２】特開２００３−２２８８３６号公報
【特許文献３】特開２００４−３１８９７２号公報
【発明の開示】
【発明が解決しようとする課題】
【０００６】
しかしながら、光ディスク自体にライトストラテジ情報を記録して出荷する場合には、光ディスクを出荷した後に、さらに特性が良好となるライトストラテジが見つかったとしても、出荷された光ディスクのライトストラテジ情報を更新することはできないという問題がある。【０００７】
また、同一の光ディスクであっても、データを記録する情報記録装置が異なれば、最適なライトストラテジは異なっている。このため、情報記録装置を製造するメーカーの数も多く、また、情報記録装置の機種も多いという状況では、光ディスク上に情報記録装置ごとのライトストラテジ情報を備えることができないという問題がある。【０００８】
さらには、上述した通信ネットワークを介してライトストラテジ情報を取得する情報記録装置においては、情報記録装置内に予め記憶されたアドレス情報に従って、所望のサーバにアクセスし、ライトストラテジ情報を取得するため、情報記録装置が予め備えたアドレス情報以外からはライトストラテジ情報を取得することはできないという問題がある。例えば、情報記録装置を製造後に、新たな光ディスクメーカーが新たな光ディスクを販売した場合には、情報記録装置は、当該光ディスクのライトストラテジ情報を取得することはできない。【０００９】
本発明は、上記の問題を解決するためになされたものであり、その課題の一例としては、それぞれの情報記録媒体に応じた最適なライトストラテジ情報を確実に取得する技術を提供することにある。
【課題を解決するための手段】
【００１０】
上記の課題を達成するため、請求項１記載の情報記録装置は、情報記録媒体の種類ごとのライトストラテジ情報を備えた情報提供サーバと通信可能な情報記録装置であって、前記情報記録媒体の所定の領域に予め記録された前記情報提供サーバの接続先情報を読み取る接続先情報取得手段と、読み取った接続先情報に基づいて、前記情報提供サーバにアクセスし、データを記録する前記情報記録媒体のライトストラテジ情報を取得するライトストラテジ情報取得手段と、を有することを特徴とする。【００１１】
また、請求項２記載の情報記録装置は、情報記録媒体の種類ごとのライトストラテジ情報を備えた情報提供サーバと通信可能な情報記録装置であって、前記情報記録媒体の所定の領域に予め記録された、前記情報提供サーバからライトストラテジ情報を取得するか否かを示すフラグ情報を読み取るフラグ情報取得手段と、読み取ったフラグ情報に従って、前記情報提供サーバが備えるライトストラテジ情報を取得する場合には、前記情報記録媒体の所定の領域に予め記録された前記情報提供サーバの接続先情報を読み取る接続先情報取得手段と、読み取った接続先情報に基づいて、前記情報提供サーバにアクセスし、データを記録する前記情報記録媒体のライトストラテジ情報を取得する第１のライトストラテジ情報取得手段と、読み取った前記フラグ情報に従って、前記情報提供サーバが備えるライトストラテジ情報を取得しない場合には、前記情報記録媒体に記録されたライトストラテジ情報を取得する第２のライトストラテジ情報取得手段と、を有することを特徴とする。【００１２】
また、請求項６記載の情報記録媒体は、情報記録媒体の種類ごとのライトストラテジ情報を備えた情報提供サーバにアクセスするための接続先情報を予め所定の領域に記録したことを特徴とする。【００１３】
また、請求項１１記載の情報提供サーバは、情報記録媒体にデータを記録する情報記録装置と通信可能であり、前記情報記録媒体の種類ごとに接続先を異ならせて、前記情報記録媒体の種類ごとのライトストラテジ情報を備えた情報提供サーバであって、前記情報記録装置からアクセスされたときは、アクセスされた接続先に備える前記ストラテジ情報を前記情報記録装置に提供することを特徴とする。
【図面の簡単な説明】
【００１４】
【図１】本発明の第１の実施の形態に係るライトストラテジ情報取得システムの概略構成図である。
【図２】情報記録媒体に記録された接続先情報の一例である。
【図３】本発明の第１の実施の形態に係るライトストラテジ情報取得システムにおいて、情報記録装置が情報提供サーバからライトストラテジ情報を取得する動作を示すフローチャートである。
【図４】本発明の第２の実施の形態に係るライトストラテジ情報取得システムの概略構成図である。
【図５】本発明の第２の実施の形態に係るライトストラテジ情報取得システムにおいて、情報記録装置が情報提供サーバからライトストラテジ情報を取得する動作を示すフローチャートである。
【図６】接続先情報及び接続フラグ情報を情報記録媒体にＬＰＰによるプリフォーマットデータ及びプリライトデータとして記録する場合の一例である。
【符号の説明】
【００１５】
１，５  情報記録媒体
２，６  情報記録装置
３  情報提供サーバ
４  通信ネットワーク
２１，３１  通信部
２２  記録再生部
２３，３３，６３  制御部
３２  記憶部
ｄ１０  接続先情報
ｄ２０  ライトストラテジ情報
ｄ３０  接続フラグ情報
１００，２００  ライトストラテジ情報取得システム
【発明を実施するための最良の形態】
【００１６】
以下、本発明の実施の形態を図面を用いて説明する。【００１７】
（第１の実施の形態）
図１は、本発明の第１の実施の形態に係るライトストラテジ情報取得システム１００の概略構成図である。図１に示すライトストラテジ情報取得システム１００は、情報記録媒体１にデータを記録することが可能な情報記録装置２と、情報記録媒体１の種類ごとにライトストラテジ情報ｄ２０を備える情報提供サーバ３ｉ（ｉ＝ａ，ｂ，…，ｎ）と、情報記録装置２と情報提供サーバ３を相互に通信可能とする、例えば、インターネット網などの通信ネットワーク４と、を備えている。ライトストラテジ情報取得システム１００は、情報記録装置２が情報記録媒体１にデータを記録するときには、情報記録装置２が情報記録媒体１に記録された情報提供サーバ３ｉの接続先情報ｄ１０を読み取ることにより、通信ネットワーク４を介して情報提供サーバ３ｉにアクセスし、情報提供サーバ３ｉから所望のライトストラテジ情報ｄ２０を取得するようになっている。【００１８】
情報記録媒体１は、例えば、具体的には、ＤＶＤ−ＲやＤＶＤ−ＲＷなどの記録型の光ディスクであり、情報記録媒体１の所定の領域（例えば、ＬＰＰ（Land Pre-Pit）などのプリフォーマットデータのリードイン領域や、出荷前に記録されるプリライトデータのリードイン領域のコントロールデータゾーンなど、従来においてライトストラテジ情報が記録されていた領域）には、情報提供サーバ３ｉに接続するための接続先情報ｄ１０が予め記録されている。接続先情報ｄ１０としては、例えば、具体的には、情報提供サーバ３ｉのＵＲＬ（Uniform Resource Locator）情報が想定される。図２（ａ）に接続先情報ｄ１０の一例を示す。本実施の形態においては、接続先情報ｄ１０として、情報記録媒体１のメーカー及び情報記録媒体の種類を示すＵＲＬ情報が記録されており、例えば、接続先情報ｄ１０―１ａは、ＡＢＣ社のディスク１用のライトストラテジ情報を取得するためのＵＲＬ情報、接続先情報ｄ１０―１ｂは、ＡＢＣ社のディスク２用のライトストラテジ情報を取得するためのＵＲＬ情報、接続先情報ｄ１０―１ｃは、ＡＢＣ社のディスク３用のライトストラテジ情報を取得するためのＵＲＬ情報となっている。このように、情報記録媒体１には、当該情報記録媒体の種類（具体的には、上述したようにメーカー、及びメーカー内における種類）を加味した接続先情報ｄ１０が記録されており、従来の情報記録媒体のようにライトストラテジ情報ｄ２０は記録されていない。【００１９】
情報記録装置２は、例えば、具体的には、ＤＶＤ（Digital Versatile Disc）レコーダやＤＶＤドライブを備えたコンピュータなどが想定される。情報記録装置２は、詳しくは、通信ネットワーク４を介して情報提供サーバ３ｉと通信する通信部２１、光ピックアップ、アクチュエータ、サーボ回路などを備え、情報記録媒体１にデータを記録したり、情報記録媒体１に記録されたデータを再生したりする記録再生部２２、及び情報記録装置２全体の制御を行う制御部２３を具備する構成である。なお、制御部２３には、具体的には、演算・制御処理の主体となるＣＰＵ、所定の制御プログラムが記録されたＲＯＭ、ワークエリアなどとして利用されるＲＡＭ等が設けられており、後述するような動作を機能させる。【００２０】
情報提供サーバ３ｉとしては、例えば、情報記録媒体４のメーカーごとのＷＥＢサーバが想定され、詳しくは、通信ネットワーク４を介して情報記録装置２と通信する通信部３１、上述したように情報記録媒体１の種類ごとのライトストラテジ情報ｄ２０を異なる接続先情報ｄ１０をもって記憶する記憶部３２、及び情報提供サーバ３ｉ全体の制御を行う制御部３３を具備する構成である。なお、図１においては複数の情報提供サーバ３ｉが記載されているが、これとは別に、物理的に１つの情報提供サーバ３で構成し、当該情報提供サーバ３が情報記録媒体１の種類ごとのライトストラテジ情報ｄ２０すべてを一元的に管理するように構成してもよい。【００２１】
次に、図３を参照して、本実施の形態のライトストラテジ情報取得システム１００の動作について説明する。図３は、情報記録装置２がライトストラテジ情報ｄ２０を取得する動作を示すフローチャートである。【００２２】
まず、情報記録装置２は、データを記録するために挿入された情報記録媒体１の所定の領域を読み取って、接続先情報ｄ１０を取得する（ステップＳ１０）。【００２３】
次に、情報記録装置２は、取得した接続先情報ｄ１０に基づいて、情報提供サーバ３ｉにアクセスする（ステップＳ２０）。なお、アクセス先は、情報記録装置２に挿入された情報記録媒体１の種類に合致した好適なＷＥＢサイトである。【００２４】
次に、情報記録装置２は、アクセス先のＷＥＢサイトから情報記録媒体１の種類に応じたライトストラテジ情報ｄ２０を取得する（ステップＳ３０）。この結果、情報記録装置２は情報記録媒体１に対して最適な記録特性でデータを記録することができる。【００２５】
以上、述べたように本実施の形態のライトストラテジ情報取得システム１００によれば、情報記録媒体１の所定の領域には、当該情報記録媒体１のライトストラテジ情報ｄ２０を取得するための接続先情報ｄ１０が記録され、情報提供サーバ３ｉは、情報記録媒体１の種類ごとのライトストラテジ情報ｄ２０を、情報記録媒体１の種類ごとに接続先を異ならせて備えているので、情報記録装置２が情報記録媒体１に記録された接続先情報ｄ１０を読み取り、読み取った接続先情報ｄ１０に基づいて、情報提供サーバ３ｉにアクセスすることにより、情報提供サーバ３ｉから所望のライトストラテジ情報を取得することができる。すなわち、本実施の形態のライトストラテジ情報取得システム１００においては、それぞれの情報記録媒体に応じた最適なライトストラテジ情報を確実に取得することができる。【００２６】
従来技術における、通信ネットワークを介してライトストラテジ情報を取得する情報記録装置は、情報記録装置内に予めアクセスすべきアドレス情報を備えることにより、外部からライトストラテジ情報を取得することが可能となっているため、情報記録装置内に備えるアドレス情報以外にアクセスすることはできない。これに対して、本実施の形態のライトストラテジ情報取得システム１００では、情報記録媒体１が自己に最適なライトストラテジ情報ｄ１０を取得するための接続先情報ｄ１０を備えているので、情報記録装置２がアドレス情報を備えていなくても、記録したい情報記録媒体１を情報記録装置２に挿入することにより、アドレス情報を動的に取得することができる。この結果、例えば、新たなメーカーが情報記録媒体１を発売したとき、またはメーカーが新たな種類の情報記録媒体１を販売したときには、従来技術における情報記録装置では、当該情報記録媒体１に対応したライトストラテジ情報ｄ２０を取得することは困難であるが、本実施の形態のライトストラテジ情報取得システム１００では、当該情報記録媒体１に対応したライトストラテジ情報ｄ２０を迅速かつ確実に取得することができる。【００２７】
なお、従来技術における情報記録装置においても、ファームウェアの更新などにより、アドレス情報を更新することは可能であるが、手間を要するものである。これに対して、本実施の形態のライトストラテジ情報取得システム１００は、このような更新作業を全く必要とせずに、あらゆる情報記録媒体１に対応できるものである。【００２８】
（第２の実施の形態）
図４は、本発明の第２の実施の形態に係るライトストラテジ情報取得システム２００の概略構成図である。図４に示すライトストラテジ情報取得システム２００は、ライトストラテジ情報取得システム１００と略同一のシステム構成であるが、情報記録媒体５に予め記録されている情報に相違があるため、情報記録装置６がライトストラテジ情報を取得する処理が第１の実施の形態と異なっている。すなわち、ライトストラテジ情報取得システム２００は、情報記録装置６と、情報提供サーバ３ｉと、通信ネットワーク４と、を備えており、情報記録装置６が情報記録媒体５にデータを記録するときには、まず、情報記録装置６が情報記録媒体５に記録された接続フラグ情報ｄ３０を読み取って、情報提供サーバ３ｉにアクセスするべきか否かを判断し、情報提供サーバ３ｉにアクセスする場合には、情報記録媒体５に記録された接続先情報ｄ１０を読み取ることにより、通信ネットワーク４を介して情報提供サーバ３ｉにアクセスし、情報提供サーバ３ｉから所望のライトストラテジ情報ｄ２０を取得するようになっている。尚、本実施の形態においては、第１の実施の形態と異なる構成及び機能のみ説明し、その他の構成及び機能については同一部分には同一符号を付して説明を省略する。【００２９】
情報記録媒体５は、例えば、具体的には、ＤＶＤ−ＲやＤＶＤ−ＲＷなどの記録型の光ディスクであり、情報記録媒体５の所定の領域（例えば、ＬＰＰなどのプリフォーマットデータのリードイン領域や、出荷前に記録されるプリライトデータのリードイン領域のコントロールデータゾーン、など従来においてライトストラテジ情報が記録されていた領域）には、情報提供サーバ３ｉに接続するか否かを判断するための接続フラグ情報ｄ３０、及び情報提供サーバ３ｉに接続するための接続先情報ｄ１０が予め記録されている。このように本実施の形態においては、ライトストラテジ情報ｄ２０Ａ（情報記録媒体側に記録されたライトストラテジ情報をｄ２０Ａと称して、情報提供サーバ３ｉが備えるライトストラテジ情報ｄ２０と区別する）そのものを情報記録媒体５に記録した場合も考慮したものであり、例えば、情報記録媒体５にライトストラテジ情報ｄ２０Ａを記録した場合には、接続フラグ情報ｄ３０を「０」に設定し（情報提供サーバ３ｉに接続しない）、情報記録媒体５に接続先情報ｄ１０を記録した場合には、接続フラグ情報ｄ３０を「１」に設定する（情報提供サーバ３ｉに接続する）。なお、接続フラグ情報ｄ３０を設けることにより、従来、ライトストラテジ情報が記録されていた記録領域にライトストラテジ情報ｄ２０Ａ及び接続先情報ｄ１０の双方を記録することができるので、同一の記録領域を有効に用いることができる。【００３０】
接続先情報ｄ１０としては、第１の実施の形態と同様に、情報提供サーバ３ｉのＵＲＬ情報が好適であるが、種々のバリエーションが想定される。図２（ａ）〜（ｅ）に接続先情報ｄ１０の具体例を示す。第１の実施の形態で示したＵＲＬ情報（図２（ａ）参照）の他、ＵＲＬ情報として共通な部分の「http://」の文字列を省略した接続先情報ｄ１０−２ａ，ｂ（図２（ｂ）参照）、情報記録装置６の機種にも対応した接続先情報ｄ１０−３（図２（ｃ）参照）、ＩＰアドレスを用いたＵＲＬ情報ｄ１０−４（図２（ｄ）参照）、暗号化通信を行うための接続先情報ｄ１０−５（図２（ｅ）参照）であってもよい。ここで、情報記録装置６の機種にも対応した接続先情報ｄ１０−３を用いる場合には、例えば、情報記録媒体５に記録された接続先情報ｄ１０（XYZ.com/STG1）と、情報記録装置６内の所定の記憶部（例えば、ＲＯＭなど）に記憶された機種情報（AA100）とを取得して、両文字列を連結し、接続先情報ｄ１０を新たに作成するようにしてもよい。この作成された接続先情報ｄ１０（XYZ.com/STG1/AA100）は、ＡＡ１００という機種におけるＸＹＺ社のディスク１用ライトストラテジ情報を取得するためのＵＲＬ情報となる。このように、接続先情報ｄ１０とは、情報提供サーバ３ｉのアドレス情報の全部又は一部を表示した文字列であって、これによって情報提供サーバ３ｉに一意にアクセスできるのであれば何であってもよい（例えば、電話番号であってもよい）。【００３１】
情報記録装置６は、例えば、具体的には、ＤＶＤ（Digital Versatile Disc）レコーダやＤＶＤドライブを備えたコンピュータなどが想定される。情報記録装置６は、詳しくは、通信部２１、記録再生部２２、及び情報記録装置６全体の制御を行う制御部６３を具備する構成である。なお、制御部６３には、具体的には、演算・制御処理の主体となるＣＰＵ、所定の制御プログラムが記録されたＲＯＭ、ワークエリアなどとして利用されるＲＡＭ等が設けられており、後述するような動作を機能させる。【００３２】
尚、本実施の形態の情報提供サーバ３ｉは、上述した情報記録装置６の機種に応じた接続先情報ｄ１０に対応するため、情報記録媒体１の種類ごとのライトストラテジ情報ｄ２０の他、さらに細分化して情報記録装置６の機種ごとに対応したライトストラテジ情報ｄ２０を記憶部３２に記憶している。すなわち、本実施の形態においては、情報記録媒体５のメーカー、種類、及び情報記録装置６の機種ごとのライトストラテジ情報ｄ２０を情報記録装置６に提供することができるようになっている。【００３３】
次に、図５を参照して、本実施の形態のライトストラテジ情報取得システム２００の動作について説明する。図５は、情報記録装置６がライトストラテジ情報ｄ２０を取得する動作を示すフローチャートである。【００３４】
まず、情報記録装置６は、データを記録するために挿入された情報記録媒体５の所定の領域を読み取って、接続フラグ情報ｄ３０を取得する（ステップＳ１１０）。【００３５】
次に、情報記録装置６は、取得した接続フラグ情報ｄ３０から情報提供サーバ３ｉにアクセスすべきか否かを判定する（ステップＳ１２０）。接続フラグ情報ｄ３０に基づいて情報提供サーバ３ｉにアクセスする場合には、情報記録媒体５の所定の領域に記録された接続先情報ｄ１０を読み取る（ステップＳ１３０）。【００３６】
次いで、読み取った接続先情報ｄ１０の文字列先頭に「http://」が存在するか否かを判定する。接続先情報ｄ１０の文字列先頭に「http://」が存在しないときは、読み取った接続先情報ｄ１０の文字列先頭に「http://」を連結して、新たな接続先情報ｄ１０を作成する（ステップＳ１４０，Ｓ１５０）。【００３７】
次いで、情報記録装置６は、機種別のライトストラテジ情報ｄ２０を取得するか否かを判定する。これは、例えば、情報記録装置６の所定の記憶部に機種に関する情報（機種名）が記憶されているときは、機種別のライトストラテジ情報ｄ２０を取得すると判断するものである。機種別のライトストラテジ情報ｄ２０を取得するときは、情報記録装置６から機種名を取得して、情報記録媒体５から取得した接続先情報ｄ１０の文字列の最後に当該機種名を連結して、新たな接続先情報ｄ１０を作成する（ステップＳ１６０，Ｓ１７０）。【００３８】
次いで、情報記録装置６は、情報記録媒体５から取得した接続先情報ｄ１０又は新たに作成した接続先情報ｄ１０に基づいて、情報提供サーバ３ｉにアクセスする（ステップＳ１８０）。なお、アクセス先は、情報記録装置６に挿入された情報記録媒体５のメーカー及び種類、さらには情報記録装置６の機種に合致した好適なＷＥＢサイトである。【００３９】
次に、情報記録装置６は、アクセス先のＷＥＢサイトから情報記録媒体５のメーカー及び種類、さらには情報記録装置６の機種に応じたライトストラテジ情報ｄ２０を取得する（ステップＳ１９０）。この結果、情報記録装置６は情報記録媒体５に対して最適な記録特性でデータを記録することができる。【００４０】
これに対して、ステップＳ１２０で、報記録装置６が接続フラグ情報ｄ３０に基づいて情報提供サーバ３ｉにアクセスしない場合には、情報記録媒体５の所定の領域に記録されたライトストラテジ情報を取得する。この結果、情報記録装置６は情報提供サーバ３ｉにアクセスしない場合であっても、情報記録媒体５に対して最適な記録特性でデータを記録することができる。【００４１】
以上、述べたように本実施の形態のライトストラテジ情報取得システム２００によれば、第１の実施の形態のライトストラテジ情報取得システム１００の効果に加えて、情報記録媒体５の所定の領域には、当該情報記録媒体５のライトストラテジ情報ｄ２０を情報提供サーバ３ｉから取得するか否かを示す接続フラグ情報ｄ３０を備えているので、情報提供サーバ３ｉからライトストラテジ情報ｄ２０を取得したり、情報記録媒体５からライトストラテジ情報ｄ２０Ａを取得したりすることを適宜、選択することができる。すなわち、本実施の形態のライトストラテジ情報取得システム２００では、情報記録媒体５のよりフレキシブルなフォーマットに対応することができる（ライトストラテジ情報を情報記録媒体内に記録する、記録しないといういずれの方式にも対応できる）。【００４２】
また、本実施の形態のライトストラテジ情報取得システム２００によれば、接続先情報ｄ１０の表記方法に柔軟に対応しているので、接続先情報ｄ１０の文字列を少なくしして、接続先情報ｄ１０の記録領域を小さくすることができるとともに、複数の通信プロトコルにも対応することができる。【００４３】
なお、第２の実施の形態においては、情報記録媒体５に接続フラグ情報ｄ３０を備えて、同一の記録領域にライトストラテジ情報ｄ２０Ａ及び接続先情報ｄ１０のいずれかを記録するようにしたが、これとは別に、別々の領域にライトストラテジ情報ｄ２０Ａ及び接続先情報ｄ１０のいずれも記録するようにしてもよい。この場合には、情報記録媒体５にライトストラテジ情報ｄ２０Ａが記録されていても、接続フラグ情報ｄ３０を参照することにより、この記録されたライトストラテジ情報ｄ２０Ａが有効であるか否かを判断することができる。【００４４】
このように情報記録媒体５に接続フラグ情報ｄ３０を備えることにより、ライトストラテジ情報を情報記録媒体５と情報記録サーバ３ｉに分散させて備えることが可能となるが、以下にライトストラテジ情報を分散させる具体的なケースを紹介する。【００４５】
（１）情報記録媒体５は基本的なライトストラテジ情報（例えば、１倍速のライトストラテジ情報）を記録し、情報提供サーバ３ｉは基本的なライトストラテジ情報を備えず、詳細なライトストラテジ情報（例えば、１倍速以外のライトストラテジ情報）を備える場合
（２）情報記録媒体５は基本的なライトストラテジ情報（例えば、１倍速のライトストラテジ情報）を記録し、情報提供サーバ３ｉは基本的なライトストラテジ情報と詳細なライトストラテジ情報（例えば、１倍速以外のライトストラテジ情報）の双方を備える場合
（１）及び（２）の場合においては、接続フラグ情報ｄ３０には情報提供サーバ３ｉに接続するようなフラグ情報「１」が設定されているが、通信ネットワーク４の何らかの障害で情報提供サーバ３ｉにアクセスできないときには、情報記録媒体５に記録された基本的なライトストラテジ情報を用いてデータを記録するということが可能となる。つまり、ライトストラテジ情報取得システム２００は、障害時のバックアップ機能を備えることができる。【００４６】
図６は、本実施形態の接続フラグ情報ｄ３０及び接続先情報ｄ１０をＬＰＰデータ及びプリライトデータとして記録したときの一例を示している。ここで、図６（ａ）はＤＶＤ−Ｒ２倍速用のディスクにおけるＬＰＰデータの各フィールドＩＤに記録される情報を示す図、図６（ｂ）はＤＶＤ−Ｒ２倍速用のディスクにおけるプリライトデータの拡張領域に記録される情報を示す図である。【００４７】
接続フラグ情報ｄ３０及び接続先情報ｄ１０をＬＰＰによるプリフォーマットデータとして記録する場合には、図６（ａ）に示すように、フィールドＩＤ２に接続フラグ情報ｄ３０、フィールドＩＤ５〜７に接続先情報ｄ１０を記録している。なお、従来においては、フィールドＩＤ２、５〜７は、ライトストラテジ情報が記録されている領域であり、本例ではこのライトストラテジ情報を接続フラグ情報ｄ３０及び接続先情報ｄ１０に代替したものである。【００４８】
また、接続フラグ情報ｄ３０及び接続先情報ｄ１０をプリライトデータとして記録する場合には、図６（ｂ）に示すように、ＰＦＩフィールドＩＤ２に接続フラグ情報ｄ３０、ＰＦＩフィールドＩＤ５〜７に接続先情報ｄ１０を記録している。なお、従来においては、ＰＦＩフィールドＩＤ２、５〜７は、ライトストラテジ情報が記録されている領域であり、本例ではこのライトストラテジ情報を接続フラグ情報ｄ３０及び接続先情報ｄ１０に代替したものである。【００４９】
勿論、図６（ａ）及び（ｂ）は一例であって、接続フラグ情報ｄ３０及び接続先情報ｄ１０は、他のフィールドＩＤに記録されてもよい。例えば、フィールドＩＤ３、４（ＰＦＩフィールドＩＤ３、４）には、従来、製造ＩＤが記録されているが、製造ＩＤに関する情報として接続フラグ情報ｄ３０及び接続先情報ｄ１０を包含して、フィールドＩＤ３、４（ＰＦＩフィールドＩＤ３、４）に記録されるようにしてもよい。【００５０】
（その他実施の形態）
以上、本発明の実施の形態について説明してきたが、本発明の要旨を逸脱しない範囲において、本発明の実施の形態に対して種々の変形や変更を施すことができる。例えば、よりセキュリティを高めるために、接続フラグ情報ｄ３０及び接続先情報ｄ１０を暗号化した情報として情報記録媒体に記録するようにしてもよい。これにより、暗号化された情報を復号できる情報記録装置でのみライトストラテジ情報を取得することができる。また、情報提供サーバに認証された特定の情報記録装置だけが、ライトストラテジ情報を取得できるようにしてもよい。【００５１】
また、上記実施の形態においては、情報記録媒体のＬＰＰやプリライト部に接続フラグ情報ｄ３０及び接続先情報ｄ１０を記録するようにしたが、これ以外の方法でもよく、例えば、ウォブル信号を変調してデータを記録するようにしてもよい。
【図１】
2008026250.tif 000003
【図２】
2008026250.tif 000004
【図３】
2008026250.tif 000005
【図４】
2008026250.tif 000006
【図５】
2008026250.tif 000007
【図６】
2008026250.tif 000008
【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
情報記録媒体の種類ごとのライトストラテジ情報を備えた情報提供サーバと通信可能な情報記録装置であって、
ＬＰＰによるプリフォーマットデータとして又はウォブル信号を変調して、前記情報記録媒体の所定の領域に予め記録された、前記情報記録媒体の種類を一意に識別可能な情報を前記情報提供サーバの接続先情報として読み取る接続先情報取得手段と、
前記情報記録装置内の所定の記憶部に記憶され、前記情報記録装置の機種を一意に識別可能な機種情報を取得する機種情報取得手段と、
前記接続先情報取得手段により読み取られた接続先情報と、前記機種情報取得手段により取得された機種情報と、を連結して新たな接続先情報を作成する接続先情報作成手段と、
前記接続先情報作成手段により作成された新たな接続先情報に基づいて、前記情報提供サーバにアクセスし、データを記録する前記情報記録媒体のライトストラテジ情報を取得するライトストラテジ情報取得手段と、
を有することを特徴とする情報記録装置。
【請求項２】
情報記録媒体の種類ごとのライトストラテジ情報を備えた情報提供サーバと通信可能な情報記録装置であって、
ＬＰＰによるプリフォーマットデータとして又はウォブル信号を変調して、前記情報記録媒体の所定の領域に予め記録された、前記情報提供サーバからライトストラテジ情報を取得するか否かを示すフラグ情報を読み取るフラグ情報取得手段と、
読み取ったフラグ情報に従って、前記情報提供サーバが備えるライトストラテジ情報を取得する場合には、ＬＰＰによるプリフォーマットデータとして又はウォブル信号を変調して、前記情報記録媒体の所定の領域に予め記録された、前記情報記録媒体の種類を一意に識別可能な情報を前記情報提供サーバの接続先情報として読み取る接続先情報取得手段と、
前記情報記録装置内の所定の記憶部に記憶され、前記情報記録装置の機種を一意に識別可能な機種情報を取得する機種情報取得手段と、
前記接続先情報取得手段により読み取られた接続先情報と、前記機種情報取得手段により取得された機種情報と、を連結して新たな接続先情報を作成する接続先情報作成手段と、
前記接続先情報作成手段により作成された新たな接続先情報に基づいて、前記情報提供サーバにアクセスし、データを記録する前記情報記録媒体のライトストラテジ情報を取得する第１のライトストラテジ情報取得手段と、
読み取った前記フラグ情報に従って、前記情報提供サーバが備えるライトストラテジ情報を取得しない場合には、前記情報記録媒体に記録されたライトストラテジ情報を取得する第２のライトストラテジ情報取得手段と、
を有することを特徴とする情報記録装置。
【請求項３】
（削除）
【請求項４】
前記新たな接続先情報は、ＵＲＬ（Ｕｎｉｆｏｒｍ  Ｒｅｓｏｕｒｃｅ  Ｌｏｃａｔｏｒ）に関する情報であることを特徴とする請求項１又は２記載の情報記録装置。
【請求項５】
前記情報提供サーバは、
前記情報記録媒体の種類ごとに接続先を異ならせて、ライトストラテジ情報を備えることを特徴とする請求項１、２、４のいずれか１項に記載の情報記録装置。
【請求項６】
（削除）
【請求項７】
（削除）
【請求項８】
（削除）
【請求項９】
（削除）
【請求項１０】
（削除）
【請求項１１】
（削除）
【請求項１２】
前記接続先情報取得手段により読み取られた前記接続先情報がＬＰＰによるプリフォーマットデータとして記録されている場合には、前記接続先情報はリードイン領域に記録されていることを特徴とする請求項１記載の情報記録装置。
【請求項１３】
前記情報提供サーバとの通信が不可能な場合には、読み取った前記フラグ情報に係わらず、前記情報記録媒体に記録されたライトストラテジ情報を取得する第３のライトストラテジ情報取得手段を有することを特徴とする請求項２記載の情報記録装置。
【請求項１４】
前記接続先情報取得手段により読み取られた前記接続先情報及び前記フラグ情報がＬＰＰによるプリフォーマットデータとして記録されている場合には、前記接続先情報及び前記フラグ情報は、リードイン領域に記録されていることを特徴とする請求項２又は１３記載の情報記録装置。
【手続補正２】
【補正対象書類名】明細書
【補正対象項目名】０００２
【補正方法】変更
【補正の内容】
【０００２】
ても、出荷された光ディスクのライトストラテジ情報を更新することはできないという問題がある。
［０００７］
また、同一の光ディスクであっても、データを記録する情報記録装置が異なれば、最適なライトストラテジは異なっている。このため、情報記録装置を製造するメーカーの数も多く、また、情報記録装置の機種も多いという状況では、光ディスク上に情報記録装置ごとのライトストラテジ情報を備えることができないという問題がある。
［０００８］
さらには、上述した通信ネットワークを介してライトストラテジ情報を取得する情報記録装置においては、情報記録装置内に予め記憶されたアドレス情報に従って、所望のサーバにアクセスし、ライトストラテジ情報を取得するため、情報記録装置が予め備えたアドレス情報以外からはライトストラテジ情報を取得することはできないという問題がある。例えば、情報記録装置を製造後に、新たな光ディスクメーカーが新たな光ディスクを販売した場合には、情報記録装置は、当該光ディスクのライトストラテジ情報を取得することはできない。
［０００９］
本発明は、上記の問題を解決するためになされたものであり、その課題の一例としては、それぞれの情報記録媒体に応じた最適なライトストラテジ情報を確実に取得する技術を提供することにある。
課題を解決するための手段
［００１０］
上記の課題を達成するため、請求項１記載の情報記録装置は、情報記録媒体の種類ごとのライトストラテジ情報を備えた情報提供サーバと通信可能な情報記録装置であって、ＬＰＰによるプリフォーマットデータとして又はウォブル信号を変調して、前記情報記録媒体の所定の領域に予め記録された、前記情報記録媒体の種類を一意に識別可能な情報を前記情報提供サーバの接続先情報として読み取る接続先情報取得手段と、前記情報記録装置内の所定の記憶部に記憶され、前記情報記録装置の機種を一意に識別可能な機種情報を取得する機種情報取得手段と、前記接続先情報取得手段により読み取られた接続先情報と、前記機種情報取得手段により取得された機種情報と、を連結して新たな接続先情報を作成する接続先情報作成手段と、前記接続先情報作成手段により作成された新たな接続先情報に基づいて、前記情報提供サーバにアクセスし、データを記録する前記情報記録媒体のライトストラテジ情報を取得するライトストラテジ情報取得手段と、を有することを特徴とする。
［００１１］
また、請求項２記載の情報記録装置は、情報記録媒体の種類ごとのライトストラテジ情報を備えた情報提供サーバと通信可能な情報記録装置であって、ＬＰＰによるプリフォーマットデータとして又はウォブル信号を変調して、前記情報記録媒体の所定の領域に予め記録された、前記情報提供サーバからライトストラテジ情報を取得するか否かを示すフラグ情報を読み取るフラグ情報取得手段と、読み取ったフラグ情報に従って、前記情報提供サーバが備えるライトストラテジ情報を取得する場合には、ＬＰＰによるプリフォーマットデータとして又はウォブル信号を変調して、前記情報記録媒体の所定の領域に予め記録された、前記情報記録媒体の種類を一意に識別可能な情報を前記情報提供サーバの接続先情報として読み取る接続先情報取得手段と、前記情報記録装置内の所定の記憶部に記憶され、前記情報記録装置の機種を一意に識別可能な機種情報を取得する機種情報取得手段と、前記接続先情報取得手段により読み取られた接続先情報と、前記機種情報取得手段により取得された機種情報と、を連結して新たな接続先情報を作成する接続先情報作成手段と、前記接続先情報作成手段により作成された新たな接続先情報に基づいて、前記情報提供サーバにアクセスし、データを記録する前記情報記録媒体のライトストラテジ情報を取得する第１のライトストラテジ情報取得手段と、読み取った前記フラグ情報に従って、前記情報提供サーバが備えるライトストラテジ情報を取得しない場合には、前記情報記録媒体に記録されたライトストラテジ情報を取得する第２のライトストラテジ情報取得手段と、を有することを特徴とする。
【手続補正３】
【補正対象書類名】明細書
【補正対象項目名】０００３
【補正方法】変更
【補正の内容】
【０００３】
［００１２］
［００１３］
図面の簡単な説明
［００１４］
［図１］本発明の第１の実施の形態に係るライトストラテジ情報取得システムの概略構成図である。
［図２］情報記録媒体に記録された接続先情報の一例である。
［図３］本発明の第１の実施の形態に係るライトストラテジ情報取得システムにおいて、情報記録装置が情報提供サーバからライトストラテジ情報を取得する動作を示すフローチャートである。
［図４］本発明の第２の実施の形態に係るライトストラテジ情報取得システムの概略構成図である。
［図５］本発明の第２の実施の形態に係るライトストラテジ情報取得システムにおいて、情報記録装置が情報提供サーバからライトストラテジ情報を取得する動作を示すフローチャートである。
［図６］接続先情報及び接続フラグ情報を情報記録媒体にＬＰＰによるプリフォーマット
【国際調査報告】
2008026250.tif 000009
2008026250.tif 000010
2008026250.tif 000011